(57)【要約】      （修正有）【課題】絶縁ブロック及び絶縁バーを具備するタッチ電極装置を提供する。【解決手段】透明基板に形成される複数の第一電極列３１及び第二電極列３２を備える。第一電極列の第一導電接続部３１１と第二電極列の第二導電接続部３２１との接続箇所には絶縁ブロック３３が設けられる。複数の絶縁バー３４は絶縁ブロックからそれぞれ延伸されると共に第一電極列方向に沿い設置され、第一電極と隣接する第二電極との間の空隙内に設けられる。【選択図】図２
0003182788.tif 000002
【実用新案登録請求の範囲】
【請求項１】
透明基板と、
前記透明基板に形成され、複数の第一電極を含むと共に同一のそれぞれ隣接する前記第一電極の間に第一導電接続部を有する複数の第一電極列と、
前記透明基板に形成され、複数の第二電極を含み、同一のそれぞれ隣接する前記第二電極の間に第二導電接続部を有する複数の第二電極列と、
前記第一導電接続部と前記第二導電接続部との接続箇所にそれぞれ位置される複数の絶縁ブロックと、
前記絶縁ブロックからそれぞれ延伸されると共に前記第一電極列の方向に沿って設置され、前記第一電極と隣接前記第二電極との間の空隙内に設けられる複数の絶縁バーを備える事を特徴とする、
タッチ電極装置。
【請求項２】
前記第一電極は菱形を有する事を特徴とする、請求項１に記載のタッチ電極装置。
【請求項３】
前記第一電極の菱形の辺縁には楔形状を形成する事を特徴とする、請求項２に記載のタッチ電極装置。
【請求項４】
前記第一電極と隣接する前記第二電極との間の空隙のピッチは２０から５０マイクロメートルであり、前記絶縁バーの幅は５から２０マイクロメートルである事を特徴とする、請求項１に記載のタッチ電極装置。
【請求項５】
前記絶縁ブロックは四辺形であり、辺の長さは８０から２５０マイクロメートルであり、前記第一導電接続部及び前記第二導電接続部の幅は４０から８０マイクロメートルである事を特徴とする、請求項１に記載のタッチ電極装置。
【請求項６】
前記絶縁ブロック或いは前記絶縁バーは二酸化珪素、アクリル、高透明性接着剤（ＯＣＡ）、ないしは感光性材料を含む事を特徴とする、請求項１に記載のタッチ電極装置。
【考案の詳細な説明】
【技術分野】
【０００１】
本考案は、絶縁ブロック及び絶縁バーを具備するタッチ電極装置に関する。
【背景技術】
【０００２】
タッチパネルは検知技術と表示技術とが結合されて形成される出入力装置であり、携帯式及び手持ち式の電子装置等の電子装置中に普遍的に使用されている。
【０００３】
静電容量式のタッチパネルはタッチパネルに広く用いられ、容量性カップリング作用を利用しタッチ位置を検知する。指が電容式タッチパネルの表面に触れると、対応する位置の静電容量が変化する程度を利用しタッチ位置を検知する。
【０００４】
図１は公知のタッチパネル２００の上面図であり、特許文献１に掲示されている。従来のタッチパネル２００は垂直電極列２１及び水平電極列２２により組成され、長形絶縁ブロック２３により垂直電極列２１と水平電極列２２とが電気的に絶縁される。
【先行技術文献】
【特許文献】
【０００５】
【特許文献１】米国特許出願公開第６、１８８、３９１号明細書
【考案の概要】
【考案が解決しようとする課題】
【０００６】
しかしながら、前述した従来の技術では、長形絶縁ブロック２３の幅が広すぎ、タッチパネルの透光度が低下した。このほか、ユーザーがタッチパネル２００を俯瞰する際に視覚上の痕跡（ｔｒａｃｅ）現象（或いは光学的可視性）が引き起こされて外観に影響を与えた。
【０００７】
そこで、本考案者は上記の欠点が改善可能と考え、鋭意検討を重ねた結果、合理的設計で上記の課題を効果的に改善する本考案の提案に到った。
【０００８】
本考案は、このような従来の問題に鑑みてなされたものである。上記課題解決のため、本考案は、タッチパネルの透光度及び感応度を高め、可視性の問題を回避させるタッチ電極装置を提供することを主目的とする。
【課題を解決するための手段】
【０００９】
上述した課題を解決し、目的を達成するために、本考案に係るタッチ電極装置は、透明基板と、前記透明基板に形成され、複数の第一電極を含むと共に同一のそれぞれ隣接する前記第一電極の間に第一導電接続部を有する複数の第一電極列と、前記透明基板に形成され、複数の第二電極を含み、同一のそれぞれ隣接する前記第二電極の間に第二導電接続部を有する複数の第二電極列と、前記第一導電接続部と前記第二導電接続部との接続箇所にそれぞれ位置される複数の絶縁ブロックと、前記絶縁ブロックからそれぞれ延伸されると共に前記第一電極列の方向に沿って設置され、前記第一電極と隣接前記第二電極との間の空隙内に設けられる複数の絶縁バーを備えることを特徴とする。
【考案の効果】
【００１０】
本考案によれば、タッチパネルの透光度及び感応度の向上、並びに可視性問題の回避が得られる。
【図面の簡単な説明】
【００１１】
【図１】公知のタッチパネルの上面図である。
【図２】本考案の第一実施形態によるタッチ電極装置の一部を説明する分解図である。
【図３】本考案の第二実施形態によるタッチ電極装置の一部の上面図である。
【考案を実施するための形態】
【００１２】
以下に図面を参照して本考案を実施するための形態について、詳細に説明する。なお、本考案は、以下に説明する実施形態に限定されるものではない。
【実施例１】
【００１３】
まず、本考案のタッチ電極装置の第一実施形態について説明する。
図２は本考案の第一実施形態によるタッチ電極装置３００の一部を説明する分解図である。この実施形態では、タッチ電極装置３００は、透明基板（図示せず）の表面に形成される複数の第一電極列３１及び複数の第二電極列３２を主に備える。
これら前記第一電極列３１は互いに実質的に平行になり、これら前記第二電極列３２も互いに実質的に平行になる。第一電極列３１と第二電極列３２とは実質的に直交になるが、但しこの限りではない。透明基板の材質は、ガラス、ポリカーボネート（Ｐｏｌｙｃａｒｂｏｎａｔｅ、ＰＣ）、ポリエチレンテレフタラート（Ｐｏｌｙｅｔｈｙｌｅｎｅ  ｔｅｒｅｐｈｔｈａｌａｔｅ、ＰＥＴ）、ポリエチレンテレフタラート（Ｐｏｌｙｅｔｈｙｌｅｎ、ＰＥ）、ポリ塩化ビニル（Ｐｏｌｙ  ｖｉｎｙｌ  Ｃｈｌｏｒｉｄｅ、ＰＶＣ）、ポリプロピレン（Ｐｏｌｙ  ｐｒｏｐｙｌｅｎｅ、ＰＰ）、ポリスチレン（Ｐｏｌｙ  ｓｔｙｒｅｎｅ、ＰＳ）、ポリメタクリル酸メチル（Ｐｏｌｙｍｅｔｈｙｌ  ｍｅｔｈａｃｒｙｌａｔｅ、ＰＭＭＡ）、或いは環状オレフィンコポリマー（Ｃｙｃｌｉｃ  ｏｌｅｆｉｎ  ｃｏｐｏｌｙｍｅｒ、ＣＯＣ）等の絶縁材料である。
【００１４】
この実施形態では、第一電極列３１及び第二電極列３２は非透明導電材料により形成される透光（ｌｉｇｈｔ−ｔｒａｎｓｍｉｓｓｉｖｅ）構造である。非透明導電材料は、例えばナノ銀線やナノ銅線等の複数のナノ金属線（ｍｅｔａｌ  ｎａｎｏｗｉｒｅ）か、或いはナノ銀ネットやナノ銅ネット等の複数のナノ金属ネット（ｍｅｔａｌ  ｎａｎｏｎｅｔ）である。
ナノ金属線或いはナノ金属ネットの内径はナノメートル級（即ち、数ナノメートルから数百ナノメートルの間）であり、プラスチック材料（樹脂等）により固定される。ナノ金属線／ナノ金属ネットは非常に細いため肉眼では観測できず、このためナノ金属線／ナノ金属ネットにより構成される第一電極列３１及び第二電極列３２の透光性は極めて好ましいものとなる。第一電極列３１及び第二電極列３２は感光性（ｐｈｏｔｏｓｅｎｓｉｔｉｖｅ）材料（アクリル等）を更に備え、露光及びリソグラフィーのプロセスにより必要な電極パターン（ｐａｔｔｅｒｎ）を形成させる。
【００１５】
他の実施形態では、第一電極列３１及び第二電極列３２は透明導電材料により形成される透光構造である。透明導電材料は酸化インジウム錫（ｉｎｄｉｕｍ  ｔｉｎ  ｏｘｉｄｅ、ＩＴＯ）、酸化インジウム亜鉛（ｉｎｄｉｕｍ  ｚｉｎｃ  ｏｘｉｄｅ、ＩＺＯ）、アルミニウムドープ酸化亜鉛（Ａｌ−ｄｏｐｅｄ  ＺｎＯ、ＡＺＯ）、或いは酸化アンチモン錫（ａｎｔｉｍｏｎｙ  ｔｉｎ  ｏｘｉｄｅ、ＡＴＯ）等である。
【００１６】
第一電極列３１は複数の第一電極３１０により組成され、同一の第一電極列３１の隣接する第一電極３１０の間には第一導電接続部３１１を有し、隣接する第一電極３１０を電気的に接続させる。第二電極列３２は複数の第二電極３２０により組成され、同一の第二電極列３２の隣接する第二電極３２０の間には第二導電接続部３２１を有し、隣接する第二電極３２０を電気的に接続させる。
第二導電接続部３２１の材質は金属導線でもよい。図２の第一電極３１０及び第二電極３２０のパターンは菱形で例示するが、他のパターンでもよい。
【００１７】
図２に示すように、第一電極列３１の第一導電接続部３１１と第二電極列３２の第二導電接続部３２１との接続箇所には絶縁ブロック３３が設けられ、第一電極列３１と第二電極列３２とを互いに電気的に絶縁させる。実施形態によると、絶縁ブロック３３は四辺形であり、辺の長さは８０から２５０マイクロメートルであり、第一導電接続部３１１及び第二導電接続部３２１の幅は４０から８０マイクロメートルである。
【００１８】
本実施例の一形態によれば、絶縁ブロック３３は第一電極列３１の方向に沿い少なくとも１つの絶縁バー３４を延伸させて設置させ、第一電極３１０と隣接する第二電極３２０との間の空隙（ｇａｐ）内に位置される。
図２に示すように、第一電極３１０には第一電極列３１の方向の両側に沿い絶縁バー３４がそれぞれ延伸されて設けられ、第一電極３１０の周辺は絶縁バー３４により取り囲まれる。絶縁バー３４は前記空隙の中間に位置されるか、ないしは第一電極３１０或いは第二電極３２０に偏向する。
本実施形態では、第一電極３１０と隣接する第二電極３２０との間の空隙のピッチは２０から５０マイクロメートルであり、好ましくは３０マイクロメートルである。絶縁バー３４の幅は５から２０マイクロメートルであり、好ましくは１０マイクロメートルである。従来のタッチパネルでは長形絶縁ブロック（図１の２３に示すように）が用いられるが、本実施形態の絶縁バー３４は幅が極僅かであるため、タッチパネルの透光度に影響を及ぼさない。
このほか、本実施形態の絶縁バー３４は第一電極３１０と隣接する第二電極３２０との間の空隙内に設けられるため、タッチパネルの感応度に影響を及ぼさない。
【００１９】
図２に示すように、絶縁ブロック３３と絶縁バー３４とは一体成形されるが、別々に形成されてもよい。もし別々に形成されるならば、まず絶縁ブロック３３を形成させた後に絶縁バー３４を形成させるか、先に絶縁バー３４を形成させた後に絶縁ブロック３３を形成させる。
上述の絶縁ブロック３３及び絶縁バー３４の材質は二酸化珪素、アクリル、或いは高透明性接着剤（ＯＣＡ）である。絶縁ブロック３３及び絶縁バー３４は感光性材料を備え、露光及びリソグラフィーのプロセスにより必要なパターンを形成させる。
【実施例２】
【００２０】
次は、本考案のタッチ電極装置の第二実施形態について説明する。
図３は本考案の第二実施形態によるタッチ電極装置４００の一部の上面図である。第一実施形態（図２の参照）と同じ部材は同じ符号で示す。第一実施形態と異なる点は、本実施形態の第一電極３１０は菱形の変化パターンを有し、辺縁に楔形状を形成し、隣接する第二電極３２０のパターンと第一電極３１０とは互いに補完し合う点である。
本実施形態の電極パターンによると、第一電極３１０と第二電極３２０との間の隣接領域が増え、タッチ感応量もそれに連れて高まり、タッチ機能を向上させる。第一実施形態と同じく、絶縁ブロック３３は第一電極列３１の方向に沿い少なくとも１つの絶縁バー３４が延伸されて設けられ、第一電極３１０と隣接する第二電極３２０との間の空隙内に位置する。
【００２１】
以上、本考案の実施形態について図面を参照して詳述したが、具体的な構成はこの実施形態に限られるものではなく、本考案の要旨を逸脱しない範囲の設計変更等も含まれる。
【符号の説明】
【００２２】
２１    垂直電極列
２２    水平電極列
２３    長形絶縁ブロック
３１    第一電極列
３２    第二電極列
３３    絶縁ブロック
３４    絶縁バー
２００  タッチパネル
３００  タッチ電極装置
３１０  第一電極
３１１  第一導電接続部
３２０  第二電極
３２１  第二導電接続部
４００  タッチ電極装置
【図１】
0003182788.tif 000003
【図２】
0003182788.tif 000004
【図３】
0003182788.tif 000005